(57)【要約】【解決手段】一つの観点によれば、検診台汚れ防止用連続シーツは、座板１４上に敷かれる汚れ防止用シーツ２３が切断幇助線を介して多数連なったものである。上記切断幇助線のそれぞれは、座板１４に形成されている欠如部１８にほぼ対応した形状で屈曲している屈曲部を有している。【効果】医師などによる検診台１での診察や治療が容易であり、汚物などが診察室などの床面上に散らばる可能性を低減させることができ、シーツ材料の無駄が生じない。【選択図】  図１
2004174137.tif 000002
【特許請求の範囲】
【請求項１】
検診台の座板の汚れを防止するためにこの座板上に敷かれる検診台汚れ防止用シーツにおいて、
上記座板の前端部のほぼ中央部分に形成されている第１の欠如部にほぼ対応した形状を有する第２の欠如部が上記汚れ防止用シーツの前端部のほぼ中央部分に設けられ、
上記第２の欠如部にほぼ対応した形状で上記前端部側から後端部側に向って突出している突出部が上記汚れ防止用シーツの後端部のほぼ中央部分に設けられていることを特徴とする検診台汚れ防止用シーツ。
【請求項２】
検診台の座板の汚れを防止するためにこの座板上に敷かれる汚れ防止用シーツが切断幇助線を介して連続的に多数連なっている検診台汚れ防止用連続シーツにおいて、
上記座板の前端部のほぼ中央部分に形成されている欠如部にほぼ対応した形状で屈曲している屈曲部が上記切断幇助線のそれぞれのほぼ中央部分に設けられていることを特徴とする検診台汚れ防止用連続シーツ。
【請求項３】
請求項２に記載した検診台汚れ防止用連続シーツが巻き込まれることにより重ね合せ状態に構成されていることを特徴とする検診台汚れ防止用連続シーツの重ね合せ体。
【請求項４】
請求項２に記載した検診台汚れ防止用連続シーツが上記切断幇助線の少なくとも一部分に沿ってＺ折りされることにより重ね合せ状態に構成されていることを特徴とする検診台汚れ防止用連続シーツの重ね合せ体。
【請求項５】
患者の臀を支えることができる座板と、上記座板の汚れを防止するためにこの座板上に汚れ防止用シーツを敷くための汚れ防止用シーツ供給機構とを備え、
この座板の前端部のほぼ中央部分に欠如部が形成されることによりこの前端部のほぼ中央部分が後端部側に向って凹んでいる検診台において、
上記請求項２に記載した検診台汚れ防止用連続シーツを重ね合せ状態にすることにより構成した重ね合せ体を引き出し可能に保持することができる重ね合せ体保持部を備え、
上記重ね合せ体保持部に保持されている重ね合せ体を構成している多数の検診台汚れ防止用シーツを上記重ね合せ体保持部から順次引き出して上記座板上に敷くことができるように構成したことを特徴とする検診台における汚れ防止用シーツ供給機構。
【発明の詳細な説明】
【０００１】
【発明の属する技術分野】
本発明は、婦人科検診台などの検診台の座板の汚れを防止するためにこの座板上に敷かれる検診台汚れ防止用シーツと、この検診台汚れ防止用シーツが切断幇助線を介して連続的に多数連なっている検診台汚れ防止用連続シーツと、この検診台汚れ防止用連続シーツが重ね合せ状態に構成されている検診台汚れ防止用連続シーツの重ね合せ体とに関するものである。また、本発明は、患者の臀を支えることができる座板と、上記座板の汚れを防止するためにこの座板上に汚れ防止用シーツを敷くための汚れ防止用シーツ供給機構とを備え、この座板の前端部のほぼ中央部分に欠如部が形成されることによりこの前端部のほぼ中央部分が後端部側に向って凹んでいる婦人科検診台などの検診台における汚れ防止用シーツ供給機構にも関するものである。
【０００２】
【従来の技術】
上述のような検診台汚れ防止用シーツ、検診台汚れ防止用連続シーツ、この検診台汚れ防止用連続シーツの重ね合せ体および検診台における汚れ防止用シーツ供給機構として、例えば、特開平９−１３１３８３号公報に記載されたものが従来から知られている。
【０００３】
この特開平９−１３１３８３号公報に記載されている検診台における汚物処理具に用いられるロールシーツ（すなわち、検診台汚れ防止用連続シーツの重ね合せ体）は、このロールシーツを所定長さごとに切断する引出し直角方向の主ミシン目と、この主ミシン目から引出し方向に延びた２条の副ミシン目とを備えている。そして、ロールシーツを主ミシン目に沿って切断すると、ほぼ長方形状の１番目のシーツ片がロールシーツから分離される。また、ロールシーツの前端側の部分を引き出して２番目のシーツ片を座板上に敷くときには、上記２条の副ミシン目に沿ってロールシーツの後部を残して切断することによって、２番目のシーツ片をロールシーツの３番目のシーツ片に連なったままで３条に分離させる。そして、この分離した中央部分の前部を汚物受け容器へ向けて垂れ下がらせるとともに、上記分離した左右一対の側方部分を座板から左右一対の腿受けにかけて添わせることができる。
【０００４】
上述のように構成された従来のロールシーツによれば、検診台の座板および左右一対の腿受けの汚れを防止するのが比較的容易であり、また、シーツ片の中央部分の前部が汚物受け容器へ向けて垂れ下がっているから、医師などによる診察や治療が比較的容易である。
【０００５】
【発明が解決しようとする課題】
しかし、上述のように構成された従来のロールシーツによれば、座板および左右一対の腿受けにシーツ片が敷かれてから患者が座板に座って左右一対の腿を左右一対の腿受けに載せたときに、シーツ片が患者の臀および腿の重量のために２条の切断された副ミシン目の後端側から破れて、極端な場合にはシーツ片の中央部分から側方部分が分離してしまうので、シーツ片がその機能を十分に発揮し得ないことがあった。
【０００６】
また、シーツ片の中央部分の前部が汚物受け容器へ向けて垂れ下がっているから、少しの風でもこの中央部分がひらひらと揺れ動き、このために、医師などによる診察や治療の障害になる場合があり、また、汚物受け容器に向って落下する汚物を周囲に飛散させる可能性もあった。
【０００７】
本発明は、上述のように構成された従来のロールシーツ（すなわち、検診台汚れ防止用連続シーツの重ね合せ体）の上述のような欠点を簡単な構成により効果的に是正し得るようにしたものである。
【０００８】
【課題を解決するための手段】
本発明は、第１の観点によれば、検診台の座板の汚れを防止するためにこの座板上に敷かれる検診台汚れ防止用シーツにおいて、上記座板の前端部のほぼ中央部分に形成されている第１の欠如部にほぼ対応した形状を有する第２の欠如部が上記汚れ防止用シーツの前端部のほぼ中央部分に設けられ、上記第２の欠如部にほぼ対応した形状で上記前端部側から後端部側に向って突出している突出部が上記汚れ防止用シーツの後端部のほぼ中央部分に設けられていることを特徴とする検診台汚れ防止用シーツに係るものである。
【０００９】
また、本発明は、第２の観点によれば、検診台の座板の汚れを防止するためにこの座板上に敷かれる汚れ防止用シーツが切断幇助線を介して連続的に多数連なっている検診台汚れ防止用連続シーツにおいて、上記座板の前端部のほぼ中央部分に形成されている欠如部にほぼ対応した形状で屈曲している屈曲部が上記切断幇助線のそれぞれのほぼ中央部分に設けられていることを特徴とする検診台汚れ防止用連続シーツに係るものである。
【００１０】
また、本発明は、第３の観点によれば、上記第２の観点による検診台汚れ防止用連続シーツが巻き込まれることにより重ね合せ状態に構成されていることを特徴とする検診台汚れ防止用連続シーツの重ね合せ体に係るものである。
【００１１】
また、本発明は、第４の観点によれば、上記第２の観点による検診台汚れ防止用連続シーツが上記切断幇助線の少なくとも一部分に沿ってＺ折りされることにより重ね合せ状態に構成されていることを特徴とする検診台汚れ防止用連続シーツの重ね合せ体に係るものである。
【００１２】
さらに、本発明は、第５の観点によれば、患者の臀を支えることができる座板と、上記座板の汚れを防止するためにこの座板上に汚れ防止用シーツを敷くための汚れ防止用シーツ供給機構とを備え、この座板の前端部のほぼ中央部分に欠如部が形成されることによりこの前端部のほぼ中央部分が後端部側に向って凹んでいる検診台において、上記第２の観点による検診台汚れ防止用連続シーツを重ね合せ状態にすることにより構成した重ね合せ体を引き出し可能に保持することができる重ね合せ体保持部を備え、上記重ね合せ体保持部に保持されている重ね合せ体を構成している多数の検診台汚れ防止用シーツを上記重ね合せ体保持部から順次引き出して上記座板上に敷くことができるように構成したことを特徴とする検診台における汚れ防止用シーツ供給機構に係るものである。
【００１３】
なお、本発明において、上記第１および第２の観点による検診台汚れ防止用シーツの寸法は、つぎの数値範囲であるのが好ましい。なお、括弧内の数値は、さらに好ましい数値範囲を示している。
・シーツの幅：２００〜７５０ｍｍ（２５０〜６５０ｍｍ）
・シーツの前端と後端との前後方向における間隔（換言すれば、前側切断幇助線と後側切断幇助線との前後方向における間隔）：１５０〜６００ｍｍ（２００〜４５０ｍｍ）
・シーツの欠如部（換言すれば、突出部）の奥行き（すなわち、前後方向の長さ）：４０〜２００ｍｍ（６０〜１６０ｍｍ）
・シーツの欠如部（換言すれば、突出部）の幅（すなわち、左右方向の長さ）：１００〜６００ｍｍ（１５０〜４５０ｍｍ）
・シーツの欠如部（換言すれば、突出部）の面積：６０〜１６００ｃｍ２（１００〜８００ｃｍ２）
【００１４】
さらに、本発明においては、検診台汚れ防止用シーツの欠如部（換言すれば、切断幇助線の屈曲部）が角部を有していないのが好ましい。
【００１５】
【発明の実施の形態】
つぎに、本発明を婦人科用検診台（以下、単に「検診台」という）に適用した実施例を、「（１）検診台の構成」、「（２）検診台汚れ防止用連続シーツの重ね合せ体の構成」、「（３）検診台汚れ防止用単体シーツの構成」および「（４）検診台および汚れ防止用シーツ類の作用効果」に項分けして、図面を参照しつつ説明する。
【００１６】
（１）検診台の構成
検診台１は、図１〜図３に示すように、婦人科の診療室の床上などに設置される基台２を備えている。そして、この基台２は、下側の水平基台部３と上側の垂直基台部４とから成っている。また、垂直基台部４には、従来から周知の昇降機構（図示せず）によって高さ位置を調節することができる昇降台５が取付けられている。さらに、この昇降台５には、機台６が取付け固定されている。なお、符号７は、昇降台５と垂直基台部４の上部とを覆うために機台６に取付け固定されている筒状のカバー部材である。
【００１７】
機台６には、図２および図３に示すように、背板フレーム１１が軸１２によって往復回動可能に取付けられている。そして、この背板フレーム１１の前面側には、患者の背を支えることができる背板１３が取付け固定されている。なお、背板フレーム１１（ひいては、背板１３）は、従来から周知の背板駆動機構（図示せず）によって軸１２を支点として往復回動可能である。したがって、背板１３は、図１〜図３に示す背板起立状態から後方に向って往回動することにより背板倒伏状態に変化することができる。
【００１８】
機台６には、図１〜図３に示すように、患者の臀を支えることができる座板１４も、従来から周知のように、その前端部付近に設けられた軸（図示せず）によって往復回動可能に取付けられている。したがって、座板１４は、手動または座板駆動機構（図示せず）により上記軸を支点として図１および図２に示すほぼ水平な状態から前方に向って往回動させることによって、図３に示すほぼ起立した状態に変化することができる。また、機台６には、図２および図３に示すように、図４に示す検診台汚れ防止用連続シーツのロール巻き体（すなわち、重ね合せ体）１５を収納保持することができるロール巻き体収納容器（すなわち、重ね合せ体保持部）１６が、座板１４の後半部の下面に対向するように、取付け固定されている。
【００１９】
この収納容器１６には、図２および図３に示すように、ロール巻き体１５がその中心線をほぼ回転中心として回転可能なように収納保持されている。この場合、ロール巻き体１５は、収納容器１６内に突出させた左右一対の支軸（図示せず）によって収納容器１６に支持されていてもよいし、収納容器１６内で自由に転動および回動し得るように収納容器１６に単に収納されているだけでもよい。そして、前者の場合には、上記支軸が収納容器１６に取付けられていてもよいし、上記支軸が座板１４の下面に直接に取付けられていてもよい。また、前者および後者のいずれの場合でも、収納容器（すなわち、重ね合せ体保持部）１６は、機台６に形成された単なる収納用凹部であってもよい。
【００２０】
座板１４の前端部のほぼ中央部分には、図１に示すように、欠如部１８が形成されている。そして、座板１４は、この欠如部１８を除いて、ほぼ長方形状に構成されている。また、座板１４および収納容器１６の下方には、この欠如部１８に対向するように、汚物受け容器１７が取出し可能に配置されている。したがって、欠如部１８およびその周辺を通って下方に落下しようとする汚物は、欠如部１８付近に何らの障害物もなければ汚物受け容器１７に受けられるので、床面上に散らばることはない。また、背板１３が背板倒伏状態になり、これに伴って座板１４も背板１３と一体となって往回動したときなどに、医師などは、欠如部１８付近に何らの障害物もなければ患者の生殖器官などを容易に観察することができるので、患者の診察や治療を容易に行うことができる。
【００２１】
なお、図１〜図３に示す検診台１においては図示を省略したが、この検診台１は、従来から周知のように、股受けおよび／または踵受けを備えていてよい。
【００２２】
（２）検診台汚れ防止用連続シーツの重ね合せ体の構成
図４（Ａ）に示す検診台汚れ防止用連続シーツのロール巻き体（すなわち、重ね合せ体）１５は、従来から周知のように、厚紙などからほぼ筒状（図示の場合には、円筒状）に構成した巻芯２１と、図７に示す検診台汚れ防止用連続シーツ２２とから構成されていてよい。また、連続シーツ２２は、従来から周知のように、クレープ紙などの紙の裏面にポリエチレンなどの合成樹脂をフィルム状にラミネートしたラミネート紙から構成されていてよい。したがって、この連続シーツ２２（ひいては、後述の検診台汚れ防止用シーツ２３、２６）は柔軟性を有するとともに、その表面側は吸液性を有し、また、その裏面側は耐液性を有している。
【００２３】
検診台汚れ防止用連続シーツ２２は、図７に示すように、多数の検診台汚れ防止用シーツ２３が連続シーツ２２にほぼ等間隔で間欠的に形成した切断幇助線２４を介して長さ方向（すなわち、前後方向）に連続的に長く連なったものである。なお、切断幇助線２４は、ミシン目であってもよいし、厚さ方向における途中まで（特に、上記合成樹脂フィルムの厚さ方向における全部または途中まで、さらには上記紙の厚さ方向の全部または途中まで）切り込まれた溝であってもよいし、ミシン目と上記溝とを重複して設けたものであってもよい。
【００２４】
切断幇助線２４のそれぞれは、図７に示すように、欠如部１８を有する座板１４の前端の形状にほぼ対応した形状を有している。したがって、切断幇助線２４のそれぞれの形状は、その左右両側部分がそれぞれほぼ直線形状２４ａ、２４ｂであり、また、そのほぼ中央部分が滑らかに湾曲した形状２４ｃである。具体的には、この湾曲部（すなわち、屈曲部）２４ｃは、連続シーツ２２の先端部（すなわち、前端部）側から基端部（すなわち、後端部）側に向って次第に幅狭になるようにほぼ円弧状に突出した形状である。そして、上記湾曲形状（すなわち、屈曲部）２４ｃの両端部が左右一対のほぼ円弧の形状を介して上記左右一対の直線形状２４ｂ、２４ｃに滑らかに連なっている。
【００２５】
連続シーツ２２の前端部および後端部の形状は、図７に示すように、切断幇助線２４の形状と実質的に同一の切断形状であってよい。そして、図７に示す連続シーツ２２が巻芯２１にその後端部側から前端部側まで密着した重ね合せ状態になるように巻き取られることによって、図４（Ａ）および図５に示すロール巻き体１５が得られる。この巻取りに際しては、連続シーツ２２の後端部を巻芯２１に接着剤によって接着してもよいし、接着しなくてもよい。さらに、巻芯２１を省略して、連続シーツ２２の後端部自体を直接に巻き始めて巻芯とし、この連続シーツ２２の後端部から成る巻芯に連続シーツ２２の残りの部分を同様に巻き取るようにしてもよい。
【００２６】
上述のように構成された図示のロール巻き体１５の具体的寸法は、例えば、つぎに記載するものであってよい。
・汚れ防止用連続シーツ２２の長さ：３６ｍ
・ロール巻き体１５の長さ（換言すれば、巻芯２１の長さならびに汚れ防止用連続シーツ２２の幅）：５００ｍｍ
・ロール巻き体１５の直径：９０ｍｍ
・巻芯２１の外径：３１ｍｍ
・巻芯２１の厚み：１ｍｍ
・前後方向において互いに隣接する切断幇助線２４（換言すれば、前後方向において互いに隣接する直線形状２４ａ、２４ｂおよび前後方向において互いに隣接する湾曲部２４ｃ）の前後方向の間隔：３００ｍｍ
・湾曲部（屈曲部）２４ｃの奥行き（すなわち、前後方向の長さ）：１００ｍｍ
・湾曲部（屈曲部）２４ｃの幅（すなわち、左右方向の長さ）：３００ｍｍ
・左右一対の直線形状２４ａ、２４ｂのそれぞれの長さ：１００ｍｍ
【００２７】
したがって、汚れ防止用シーツ２３のそれぞれの形状は、図７に示すように、その後端部側の突出部２３ａを除いて、座板１４の表面形状とほぼ対応した形状であってよい。具体的には、汚れ防止用シーツ２３のそれぞれは、その前端部のほぼ中央部分に欠如部２３ｂを有するとともにその後端部のほぼ中央部分に突出部２３ａを有し、これらの欠如部２３ｂおよび突出部２３ａの存在を除けばほぼ長方形状である。そして、汚れ防止用シーツ２３の形状は、図７に示すように、座板１４の表面形状に較べて、幅がやや狭く、奥行きがやや短くてよいが、幅がほぼ同じであるかあるいはやや広いか、あるいは、部分的に狭いかほぼ同じであるかやや広いかであってもよく、また、奥行きがほぼ同じであるかあるいはやや長いか、あるいは、部分的にやや短いかほぼ同じであるかやや長いかであってもよい。さらに、一本のロール巻き体１５は、図示の場合には、１２０枚の汚れ防止用シーツ２３が連続的に連なったものである。
【００２８】
図１〜図３に示す検診台１に用いられる汚れ防止用シーツの重ね合せ体としては、図４（Ａ）および図５に示すロール巻き体１５だけでなく、図４（Ｂ）および図６に示すＺ折り体２５も用いることができる。なお、このＺ折り体２５は、図７に示す汚れ防止用連続シーツ２２を左右一対の直線形状２４ａ、２４ｂに沿って互い違いの向き（すなわち、アコーデオン状またはＺ折り状）に順次折り曲げることにより密着した重ね合せ状態になるようにブロック状に構成したものである。この場合、この重ね合せ体（すなわち、Ｚ折り体）２５の厚みは約３０ｍｍであり、幅は約５００ｍｍであり、前後方向の長さは約３００ｍｍである。
【００２９】
図４（Ｂ）および図６に示すＺ折り体２５を図１〜図３に示す検診台１に用いる場合には、収納容器（すなわち、重ね合せ体保持部）１６の収納用凹部の形状をＺ折り体２５のブロック形状にほぼ対応した形状に変更すればよい。そして、収納容器１６の収納用凹部に収納されたＺ折り体２５の前端部側をこの収納容器１６の収納用凹部から手動などにより順次引き出せるようにすればよい。
【００３０】
図４（Ａ）および図５に示すロール巻き体１５および図４（Ｂ）および図６に示すＺ折り体２５を構成している連続シーツ２２は、図７に示す形状だけでなく、図８および図９に示す形状、その他の各種の形状であってよい。なお、図８に示す形状は、屈曲部２４ｃの形状をほぼ等角台形状にするとともに切断幇助線２４に角部が生じないように角部にアールを付けたものである。また、左右一対の直線形状２４ａ、２４ｂを結ぶ線上に上記等角台形の下底（すなわち、上底と下底のうちの長い方）がほぼ位置している。また、図９に示す形状は、屈曲部２４ｃの形状をほぼ長方形状にするとともに切断幇助線２４に角部が生じないように角部にアールを付けたものである。そして、これら図８および図９に示す連続シーツ２２の場合には、屈曲部２４ｃの奥行き（すなわち、前後方向の長さ）は、図７に示す連続シーツ２２の場合とほぼ同様に１００ｍｍであってよく、また、屈曲部２４ｃの幅（すなわち、左右方向の長さ）は、約２４０ｍｍであってよいから、左右一対の直線形状２４ａ、２４ｂのそれぞれの長さは、約１３０ｍｍであってよい。
【００３１】
（３）検診台汚れ防止用単体シーツの構成
図１〜図３に示す検診台１に用いられる汚れ防止用連続シーツ２２の汚れ防止用シーツ２３は、図１０に示すように、予め単体に成形されていてもよい。そして、これらの図１０（Ａ）〜図１０（Ｃ）に示す汚れ防止用単体シーツ２６は、図７〜図８に示す検診台汚れ防止用連続シーツ２２を構成している汚れ防止用シーツ２３と実質的にほぼ同一の形状（ただし、ミシン目などの切断幇助線２４がなくて、この切断幇助線２４の箇所で滑らかに切断された形状）および構成であってよい。
【００３２】
具体的には、図１０（Ａ）に示す検診台汚れ防止用単体シーツ２６は、図７に示す検診台汚れ防止用シーツ２３と実質的にほぼ同一の形状および構成であって、その前端部のほぼ中央部分に欠如部２６ｂを有するとともにその後端部のほぼ中央部分に上記欠如部２６ｂにほぼ対応した形状の突出部２６ａを有し、これらの欠如部２６ｂおよび突出部２６ａの存在を除けばほぼ長方形状である。また、図１０（Ｂ）に示す検診台汚れ防止用単体シーツ２６は、図８に示す検診台汚れ防止用シーツ２３と実質的にほぼ同一の形状および構成であって、上述の場合とほぼ同様の欠如部２６ｂおよび突出部２６ａを有している。さらに、図１０（Ｃ）に示す検診台汚れ防止用単体シーツ２６は、図９に示す検診台汚れ防止用シーツ２３と実質的にほぼ同一の形状および構成であって、上述の場合とほぼ同様の欠如部２６ｂおよび突出部２６ａを有している。
【００３３】
（４）  検診台および汚れ防止用シーツ類の作用効果
図１〜図３に示す検診台１を使用する場合には、予め、座板１４上に汚れ防止用連続シーツ２２の汚れ防止用シーツ２３または汚れ防止用単体シーツ２６を敷いておく。そして、図４〜図９に示す汚れ防止用連続シーツ２２の汚れ防止用シーツ２３を座板１４上に敷くときには、手動などにより座板１４を図３に示すように往回動させてから、手動などにより収納容器１６内の連続シーツ２３の先端部を引っ張ることによって、この先端部側から最初の汚れ防止用シーツ２３を収納容器１６から引き出して図１に示すようにこれとほぼ同形の座板１４上に配置させる。この場合、汚れ防止用シーツ２３の後端部のほぼ中央部分に形成されている突出部２３ａは、座板１４の後端から後方にほぼ突出した状態になる。
【００３４】
また、図１０に示す汚れ防止用単体シーツ（換言すれば、単体の汚れ防止用シーツ）２６を座板１４上に敷くときには、この単体シーツ２６を手で持って座板１４上に配置する。この場合にも、汚れ防止用単体シーツ２６の後端部のほぼ中央部分に形成されている突出部２６ａは、座板１４の後方にほぼ突出した状態になる。また、この場合には、検診台１は、収納容器１６およびロール巻き体１５から成る汚れ防止用シーツ供給機構を特に備えている必要はない。
【００３５】
ついで、座板１４上に患者を座らせてから、医師などが従来から周知のように患者に対し必要な検診や治療を行う。なお、診察や治療が終わったときには、連続シーツ２２を用いている場合には、この連続シーツ２２の先端部を上述のように多少引っ張ってからこの先端部側から最初に位置する切断幇助線２４に沿って汚れ防止用連続シーツ２２を切断することによって、この先端部側から最初に位置する汚れ防止用シーツ２３を汚れ防止用連続シーツ２２から取り除く。そして、この先端部側から２番目に位置する汚れ防止用シーツ２３を上述のようにして座板１４上に配置する。また、汚れ防止用単体シーツ２６を用いている場合には、座板１４上から単体シーツ２６を手で取り除くとともに、新たな単体シーツ２６を上述のようにして座板１４上に配置する。
【００３６】
上述のように構成された検診台１および検診台汚れ防止用シーツ類（すなわち、汚れ防止用シーツ２３、汚れ防止用連続シーツ２２、重ね合せ体１５、２５および汚れ防止用単体シーツ２６）によれば、つぎの（ａ）項〜（ｇ）項に記載の効果を奏する。
【００３７】
（ａ）吸液性と耐液性とを有する汚れ防止用シーツ２３または２６を検診台１の座板１４上に敷くようにした。したがって、患者の診察や治療を行うときに座板１４自体が汚物で汚れる恐れがなくて衛生的である。
【００３８】
（ｂ）検診台１の座板１４の前端部のほぼ中央部分に欠如部１８が設けられるとともに、座板１４上に敷かれる汚れ防止用シーツ２３または２６にもこの欠如部１８にほぼ対応した欠如部２３ｂまたは２６ｂが設けられる。したがって、座板１４が倒伏状態へと往回動する背板１３と一体となって往回動したときなどに、医師などは、患者の生殖器官などを容易に観察することができるので、診察や治療を容易に行うことができる。また、医師などが患者の診察や治療を行うときに汚れ防止用シーツ２３または２６の欠如部２３ｂまたは２６ｂおよび座板１４の欠如部１８を通して汚物などを汚物受け容器１７に受けさせることができるので、汚物などが診察室などの床面上に散らばる可能性を低減させることができる。
【００３９】
（ｃ）汚れ防止用シーツ２３または２６のそれぞれは、その前端部のほぼ中央部分に設けられている欠如部２３ｂまたは２６ｂにほぼ対応する突出部２３ａまたは２６ａをその後端部のほぼ中央部分に有している。したがって、大きなシーツ材料から汚れ防止用シーツ２３または２６を作成するときに、シーツ材料から端切れ部分が生じないようにすることが可能であるので、シーツ材料の無駄が生じず、また、汚れ防止用シーツの作成工程も簡略化することができる。
【００４０】
（ｄ）汚れ防止用連続シーツ２２の切断幇助線２４が角部を有していない。したがって、汚れ防止用連続シーツ２２を切断幇助線２４に沿って切断するときに、上記角部から切断幇助線２４に沿った箇所以外の箇所が不測に破れるのを効果的に防止することができる。
【００４１】
（ｅ）汚れ防止用連続シーツ２２を構成している汚れ防止用シーツ２３のそれぞれを使用する際には、屈曲形状２４ｃとその左右両側に滑らかに連なっている左右一対の直線形状２４ａ、２４ｂとから成る一本の切断幇助線２４に沿って前後一対の汚れ防止用シーツ２３の間を切断して後側の汚れ防止用シーツ２３を座板１４上に敷くだけでよい。したがって、この操作を容易かつ確実にしかも迅速に行うことができる。
【００４２】
（ｆ）検診台汚れ防止用連続シーツ２２は、ロール巻きされてロール巻き体１５を構成するかあるいはＺ折りされてＺ折り体２５を構成することによりコンパクトに構成されるとともに、これらのロール巻き体１５またはＺ折り体２５は、座板１４の下方付近に配置されている収納容器（すなわち、重ね合せ体収納部）１６内に収納保持される。そして、座板１４を往回動させて収納容器１６の上面開口を開放してからロール巻き体１５またはＺ折り体２５の前端部を手で掴んで引っ張り出せば、汚れ防止用連続シーツ２２を構成している汚れ防止用シート２３を座板１４上に順次持ち来たすことができる。したがって、汚れ防止用連続シーツ２２の取扱いが簡単であるとともに、座板１４上に汚れ防止用シーツ２３を順次敷く作業を簡単な構造でもって容易に行うことができる。
【００４３】
（ｇ）汚れ防止用シーツ２３、２６の欠如部２３ｂ、２６ｂが角部を有していない。したがって、汚れ防止用シーツ２３、２６の使用中にこの汚れ防止用シーツ２３、２６が患者の臀で座板１４に押しつけられて上記角部から不測に破れ目が生じるのを効果的に防止することができる。
【００４４】
以上において、本発明の幾つかの実施例について詳細に説明したが、本発明は、これらの実施例に限定されるものではなく、特許請求の範囲に記載された発明の趣旨に基づいて各種の変更および修正が可能である。
【００４５】
【発明の効果】
本発明によれば、検診台の座板の汚れを防止するためにこの座板上に汚れ防止用シーツを敷くことができるから、患者の診察や治療を行うときに座板自体が汚物で汚れる恐れがなくて衛生的である。
【００４６】
また、検診台の座板の前端部のほぼ中央部分に形成されている欠如部にほぼ対応した欠如部が汚れ防止用シーツのそれぞれに設けられる。したがって、座板が倒伏状態へと往回動する背板と一体となって往回動したときなどに、医師などは、患者の生殖器官などを容易に観察できるので、診察や治療を容易に行うことができる。また、医師などが患者の診察や治療を行うときに汚れ防止用シーツの欠如部および座板の欠如部を通して汚物などを汚物受け容器などに受けさせることができるので、汚物などが診察室などの床面上に散らばる可能性を低減させることができる。
【００４７】
また、汚れ防止用シーツのそれぞれは、その前端部のほぼ中央部分に設けられる欠如部にほぼ対応する突出部をその後端部のほぼ中央部分に有している。したがって、大きなシーツ材料から汚れ防止用シーツを作成するときに、シーツ材料から端切れ部分が生じないようにすることが可能であるので、シーツ材料の無駄が生じず、また、汚れ防止用シーツの作成工程も簡略化することができる。
【００４８】
また、請求項２の発明によれば、汚れ防止用連続シーツを構成している汚れ防止用シーツのそれぞれを使用する際には、一本の切断幇助線に沿って前後一対の汚れ防止用シーツの間を切断して後側の汚れ防止用シーツを座板上に敷くだけでよい。したがって、この操作を容易にかつ確実にしかも迅速に行うことができる。
【００４９】
また、請求項３および４の発明によれば、検診台汚れ防止用連続シーツは、巻き込まれてロール巻き体を構成するかあるいはＺ折りされてＺ折り体を構成することによりコンパクトに構成されている。したがって、汚れ防止用連続シーツの保管や取扱いが簡便である。
【００５０】
さらに、請求項５の発明によれば、汚れ防止用連続シーツの重ね合せ体は、重ね合せ体収納部に保持され、そして、この重ね合せ体保持部に保持されている重ね合せ体を構成している多数の汚れ防止用シーツを重ね合せ体保持部から順次引き出して座板上に敷くことができる。したがって、座板上に汚れ防止用シーツを順次敷く作業を簡単な構造でもって容易に行うことができる。
【図面の簡単な説明】
【図  １】本発明を婦人科検診台に適用した一実施例における検診台全体の概略的な斜視図である。
【図  ２】図１に示す検診台の中心線に沿った縦断面図である。
【図  ３】図２に示す検診台の、汚れ防止用連続シーツのシーツ引出し途中における図２と同様の縦断面図である。
【図  ４】（Ａ）は、図３に示す汚れ防止用連続シーツの重ね合せ体の斜視図である。（Ｂ）は、汚れ防止用連続シーツの重ね合せ体の、重ね合わせ状態についての一変形例の表面側から見た斜視図である。
【図  ５】図４（Ａ）に示す汚れ防止用連続シーツの重ね合せ体の側面図である。
【図  ６】図４（Ｂ）に示す汚れ防止用連続シーツの重ね合せ体の裏面側から見た斜視図である。
【図  ７】図４（Ａ）に示す汚れ防止用連続シーツの部分的に切欠した状態における平面図である。
【図  ８】汚れ防止用連続シーツの、汚れ防止用シーツの形状についての第１の変形例を示す図７と同様の平面図である。
【図  ９】汚れ防止用連続シーツの、汚れ防止用シーツの形状についての第２の変形例を示す図７と同様の平面図である。
【図  １０】（Ａ）は、図７に示す汚れ防止用シーツとほぼ同様の形状を有する本発明の一実施例による汚れ防止用単体シーツの平面図である。（Ｂ）は、汚れ防止用単体シーツの、図８に示す汚れ防止用シーツとほぼ同様の形状を有する第１の変形例の平面図である。（Ｃ）は、汚れ防止用単体シーツの、図７に示す汚れ防止用シーツとほぼ同様の形状を有する第２の変形例の平面図である。
【符号の説明】
１      検診台
１４    座板
１５    検診台汚れ防止用連続シーツのロール巻き体
１６    ロール巻き体収納容器
１８    欠如部（第１の欠如部）
２２    検診台汚れ防止用連続シーツ
２３    検診台汚れ防止用シーツ
２３ｂ  欠如部（第２の欠如部）
２４    切断幇助線
２４ｃ  湾曲部（屈曲部）
２５    Ｚ折り体
２６    検診台汚れ防止用単体シーツ（検診台汚れ防止用シーツ）
２６ｂ  欠如部（第２の欠如部）
【図１】
2004174137.tif 000003
【図２】
2004174137.tif 000004
【図３】
2004174137.tif 000005
【図４】
2004174137.tif 000006
【図５】
2004174137.tif 000007
【図６】
2004174137.tif 000008
【図７】
2004174137.tif 000009
【図８】
2004174137.tif 000010
【図９】
2004174137.tif 000011
【図１０】
2004174137.tif 000012